(57)【要約】      （修正有）【課題】締結梁の調整を簡単にし、乳母車用立席ボードを様々な設計の乳母車に利用可能にする。【解決手段】立席ボードは、立席ボードから前方に延び、乳母車に締結する回動手段を前端部に有する締結梁（４、５）によって乳母車に締結される。締結梁は立席ボードの通常の移動方向前方を向いており、基本的に立席ボードに平行である。締結梁はさらに移動方向に対して９０度の方向に位置調整可能であり、梁締結手段（８、９）を介して立席ボードの前方端に取り付けられている。梁締結手段はそれ自体を立席ボード（１）内の調整位置に保持する固定手段（１２、１３）を有する。締結梁は、梁締結手段に対して回動して立席面（１４）に対する角度を調整することができるように取り付けられている。【選択図】図１
0003127018.tif 000002
【実用新案登録請求の範囲】
【請求項１】
立席面（１４）を備えると共に、複数の締結梁（４、５）を介して乳母車に取り付けられる乳母車用立席ボード（１）であって、
前記各締結梁（４、５）が乳母車用立席ボード（１）から乳母車用立席ボード（１）の通常の移動方向に延出し、且つ前記各締結梁（４、５）は該乳母車用立席ボード（１）の通常の移動方向に対して平行であると共に、乳母車に締結する締結手段（６、７）を前端部に備え、
前記各締結梁（４、５）が締結される前方端（１５）は前記立席面（１４）前方に設けられ、
前記各締結梁（４、５）は梁締結手段（８、９）を用いて前記前方端（１５）に取り付けられており、
前記梁締結手段（８、９）は前記前方端（１５）に沿って乳母車用立席ボード（１）の通常の移動方向に対して直交する方向に位置調整可能であり、前記梁締結手段（８、９）は前記各締結梁（４、５）を乳母車用立席ボード（１）の調整位置に固定する固定手段（１２、１３）を備えた
乳母車用立席ボード（１）。
【請求項２】
前記各締結梁（４、５）は、前記梁締結手段（８、９）に対して回動することが可能であり、
乳母車用立席ボード（１）の立席面（１４）に対する前記各締結梁（４、５）の垂直方向の角度を調整位置に固定可能であることを特徴とする
請求項１に記載の乳母車用立席ボード（１）。
【請求項３】
前記前方端（１５）は、前記立席面（１４）の前方に、前記立席面（１４）に対して上方に角度を有した状態で備えられたことを特徴とする
請求項１又は２に記載の乳母車用立席ボード（１）。
【請求項４】
前記前方端（１５）に、該前方端（１５）の表面から突設された１以上の誘導突起（１０、１１）を備えたことを特徴とする。
請求項１から３のいずれか１つに記載の乳母車用立席ボード（１）。
【考案の詳細な説明】
【技術分野】
【０００１】
本考案は、子供用の乳母車のための乳母車用立席ボードであって、現行のほとんどの設計の乳母車に連結して用いることができる乳母車用立席ボードに関する。
【背景技術】
【０００２】
乳母車用立席ボードは主に、乳母車でもう一人の子供を運ぶことを可能にするために乳母車に用いられる。さらに乳母車用立席ボードは物を移送するためにも用いることができる。
【０００３】
乳母車用立席ボードは梁を介して乳母車に固定され、梁は乳母車用立席ボードから乳母車の適切な締結点まで延びている。
【０００４】
従来、特許文献１のように、複雑な構造の乳母車用立席ボードが提案されていたが、様々なタイプの乳母車に適用するためには、種々の連結調整を必要とし、その複雑な構造により、連結調整は困難であるという問題点を有していた。
【０００５】
ただし、できるだけ多くのタイプの市販の乳母車との連結を容易にするために、梁は締結点に適合するように調整可能にする必要がある。
【０００６】
本考案はこのような調整可能型乳母車用立席ボードに関する。
【０００７】
【特許文献１】特開２００６−１３７３５９公報
【考案の開示】
【考案が解決しようとする課題】
【０００８】
本考案の目的は、締結梁の調整を簡単にし、乳母車用立席ボードを様々な設計の乳母車に利用可能にすることである。
【課題を解決するための手段】
【０００９】
本考案によると、上記目的は、締結梁を介して乳母車に締結され、乳母車に締結する手段を梁の遠位端に有する乳母車用立席ボードによって達成される。
【００１０】
締結梁は乳母車用立席ボードから延びている。締結梁の延びる方向は乳母車用立席ボードの通常の移動方向に一致しており、基本的に乳母車用立席ボード自体に平行であるが、上記移動方向に対して９０度の方向に位置調整可能である。
【００１１】
締結梁はさらに、締結梁を設定位置に維持する梁締結手段によって、横方向に延びる乳母車用立席ボードの前方端に取り付けられている。締結梁は乳母車用立席ボードの前方端に沿って、すなわち乳母車用立席ボードの移動方向に直交する方向に位置調整可能である。
【００１２】
乳母車用立席ボードに対する締結梁の上下方向の角度は固定しており、移動用の立席面に対する乳母車用立席ボードの前方端の上下方向の角度に依存する。
【００１３】
異なる設計の乳母車に対する調整を容易にするため、締結梁は締結点で回動可能に乳母車用立席ボードの立席面に対する角度を調整できるように設計されている。
【００１４】
本考案の具体的特徴は請求の範囲に記載されている。
【００１５】
請求項１に記載の考案は、立席面（１４）を備えると共に、複数の締結梁（４、５）を介して乳母車に取り付けられる乳母車用立席ボード（１）であって、前記各締結梁（４、５）が乳母車用立席ボード（１）から乳母車用立席ボード（１）の通常の移動方向に延出し、且つ前記各締結梁（４、５）は該乳母車用立席ボード（１）の通常の移動方向に対して平行であると共に、乳母車に締結する締結手段（６、７）を前端部に備え、前記各締結梁（４、５）が締結される前方端（１５）は前記立席面（１４）前方に設けられ、前記各締結梁（４、５）は梁締結手段（８、９）を用いて前記前方端（１５）に取り付けられており、前記梁締結手段（８、９）は前記前方端（１５）に沿って乳母車用立席ボード（１）の通常の移動方向に対して直交する方向に位置調整可能であり、前記梁締結手段（８、９）は前記各締結梁（４、５）を乳母車用立席ボード（１）の調整位置に固定する固定手段（１２、１３）を備えたことを特徴とする。
【００１６】
請求項２に記載の考案は、前記各締結梁（４、５）は、前記梁締結手段（８、９）に対して回動することが可能であり、乳母車用立席ボード（１）の立席面（１４）に対する前記各締結梁（４、５）の垂直方向の角度を調整位置に固定可能であることを特徴とする。
【００１７】
請求項３に記載の考案は、前記前方端（１５）は、前記立席面（１４）の前方に、前記立席面（１４）に対して上方に角度を有した状態で備えられたことを特徴とする。
【００１８】
請求項４に記載の考案は、前記前方端（１５）に、該前方端（１５）の表面から突設された１以上の誘導突起（１０、１１）を備えたことを特徴とする。
【考案の効果】
【００１９】
本考案の構成により、乳母車用立席ボードに対する締結梁の調整を簡単にし、様々な設計の乳母車に簡単な構成で利用可能にすることができる。
【考案を実施するための最良の形態】
【００２０】
本考案の実施形態を図面を参照して以下に詳細に説明する。
【００２１】
乳母車用立席ボードは、子供または物を移送する、立席面１４を有する立席ボード１を含む。
【００２２】
立席ボード１下方には２つの車輪２、３が設けられている。車輪２、３は、それぞれの垂直軸を中心に垂直方向に回転可能であり、締結具内の垂直軸を中心に立席面に対して９０度回動することができる。
【００２３】
立席面１４の前方には横方向に延びる前方端１５が設けられており、前方端１５は、立席面１４に対して上下方向に角度を有するように取り付けられている。
【００２４】
２つの誘導突起１０、１１が前方端１５の表面から突設されて設けられている。該誘導突起１０、１１は、梁締結手段８、９が前方端１５に対して位置調整される際に、その位置調整方向を誘導する作用を果たす。
【００２５】
梁締結手段８、９が前方端１５に連結されており、クランプ１２、１３と共に、前方端１５の大部分を覆っている。
【００２６】
締結梁４、５は、立席ボードを取り付ける乳母車の所望の幅に調整された後、クランプ１２、１３を用いて、横方向に固定される。
【００２７】
締結梁４、５が外端部に取り付けられ、調整位置に固定可能である。締結梁４、５、およびこれと回動可能な梁締結手段８、９の移動方向を図１に２方向矢印１６および１７で示す。
【００２８】
締結梁４、５の前端部に締結手段６、７が設けられている。締結手段６、７もまた、乳母車用立席ボードを乳母車に連結するために締結すると共に回動することができる。
【図面の簡単な説明】
【００２９】
【図１】図１は、本考案による立席ボードを示す図である。
【図２】図２は、図１の立席ボードを下斜め方向から見た図である。
【図１】
0003127018.tif 000003
【図２】
0003127018.tif 000004